(57)【要約】【課題】本考案は、ビデオ記録再生装置などの磁気テープ記録再生装置において、専用の追加的な部材をまったく必要とせず、しかも製造工程におけるシャーシへの部材取付け工程やケーブル配線工程において、なんら特殊かつ複雑な工程を一切必要とせずに、ドラムモータケーブルからオーディオヘッドケーブルに放射するノイズの影響を防止できる磁気テープ記録再生装置を提供することを、その課題とする。【解決手段】上記課題を解決するために、本考案は、ビデオ記録再生装置などの磁気テープ記録再生装置であって、金属製の筐体と、金属製のシャーシと、当該シャーシの裏面に設置されたメインプリント基板とからなり、当該シャーシの表面に、第一の位置にドラムモータ、第二の位置にオーディオヘッド、第三の位置にキャプスタンモータとが配置され、当該シャーシの一方の側面に、ローディングモータが配置され、当該シャーシの裏面に、ドラムモータとキャプスタンモータとローディングモータを駆動するためのワンチップ化されたICが、当該シャーシを挟んで当該キャプスタンモータに対向する位置に近接して配置され、当該ドラムモータを当該ICに接続するためのドラムモータケーブルを有し、当該ドラムモータケーブルはフラットケーブルであり、かつ当該筐体内壁に所定の長さ接触する部分を有する磁気テープ記録再生装置を提供する。【選択図】図３
0003103973.tif 000002
【実用新案登録請求の範囲】
【請求項１】
金属製の筐体と、
金属製のシャーシと、
当該シャーシの裏面に設置されたメインプリント基板と、
からなり、
当該シャーシの表面に、
第一の位置にドラムモータ、
第二の位置にオーディオヘッド、
第三の位置にキャプスタンモータと、
が配置され、
当該シャーシの一方の側面に、ローディングモータが配置され、
当該シャーシの裏面に、ドラムモータとキャプスタンモータとローディングモータを駆動するためのワンチップ化されたICが、当該シャーシを挟んで当該キャプスタンモータに対向する位置に近接して配置され、
当該ドラムモータを当該ICに接続するためのドラムモータケーブルを有し、
当該ドラムモータケーブルはフラットケーブルであり、かつ当該筐体内壁に所定の長さ接触する部分を有する磁気テープ記録再生装置。
【考案の詳細な説明】
【技術分野】
【０００１】
本考案は、磁気テープ記録再生装置に係わり、ドラムモータケーブルとオーディオヘッドケーブルとの間にシールド板を設けることなく、ドラムモータケーブルからオーディオヘッドケーブルへのノイズの放出を低減させる構造に関する。
【背景技術】
【０００２】
ビデオ記録再生装置などの磁気テープ記録再生装置においては、従来から製品の小型化や部品数の削減による製造コスト低減などの要請を受けて、ドラムモータ、キャプスタンモータ、ローディングモータをそれぞれ駆動させる駆動ICがワンチップ化されるようになってきた。そうした潮流の中で、ワンチップ化された当該駆動ICをキャプスタンモータ側に搭載する設計思想が主流となっているのが現状である。この背景には、上記のドラムモータ、キャプスタンモータ、ローディングモータのなかで、キャプスタンモータが他の二つのモータに比して、その回転方向が正・逆に反転すること、かつ回転数の可変範囲もかなり広いことなどから、他のモータよりも一段と細かい制御を必要とするために、当該駆動ICをキャプスタンモータ側に搭載するようになったという事情がある。
【０００３】
ところが、上記の設計思想に基づくビデオ記録再生装置においては、図１に示すように、シャーシ２裏面のキャプスタンモータ５に対向する位置に配置された駆動ICとドラムモータ３とを接続するドラムモータケーブル７からノイズが放射し、そのノイズがオーディオヘッド４とメインプリント基板とを接続するオーディオヘッドケーブル８に飛び込むことにより、それがノイズ音となって音声出力から出力されるという不都合があった。
【０００４】
この不都合を解消するために、従来技術では、オーディオヘッドケーブル８全体をシールド被覆する方法がある。また、図２に示すように、ドラムモータケーブル７とオーディオヘッドケーブル８とが近接してオーディオヘッドケーブル８がノイズの影響を受けやすい状態にある領域において、オーディオヘッドケーブル８を覆うようにシールド板９をシャーシ２に取り付けることにより、ドラムモータケーブル７から放射されるノイズの影響を防止する方法が広く知られている。
【０００５】
さらに、特許文献１には、同一筐体内の複数基板間を接続するケーブルの配線方法として、ケーブルからの放射ノイズを防止するために、筐体の一部に仕切板で仕切った隙間部分を形成し、その隙間部分にケーブルを配線し、ケーブルを筐体側面に密着させて配線させることにより、ケーブルからの放射ノイズを防止する方法が開示されている。
【０００６】
【特許文献１】特開平１１−２９８１６８公報
【考案の開示】
【考案が解決しようとする課題】
【０００７】
しかしながら、上記の方法においては、いずれもケーブルを覆うための被覆部材、もしくはオーディオヘッドケーブルを覆うためのシールド板、もしくは筐体の一部を仕切るための仕切板が追加的な部品として必要となる。また、シャーシ表面へのシールド板の設置、もしくは筐体の一部への仕切板で仕切った隙間部分の形成と当該隙間部分へのケーブルの配線など、組立て工程を複雑にするという不都合がある。さらに、特許文献１による方法においては、ケーブルから放射されるノイズの防止効果という点では相応の評価が下されるものの、ケーブルの配線方法が所定の方式により詳細に定められており、ケーブル配線時の組立て作業が極めて煩雑なものとならざるをえない。
【課題を解決するための手段】
【０００８】
本考案は、上記の課題を解決するために、ビデオ記録再生装置などの磁気テープ記録再生装置であって、金属製の筐体と、金属製のシャーシと、当該シャーシの裏面に設置されたメインプリント基板とからなり、当該シャーシの表面に、第一の位置にドラムモータ、第二の位置にオーディオヘッド、第三の位置にキャプスタンモータとが配置され、当該シャーシの一方の側面に、ローディングモータが配置され、当該シャーシの裏面に、ドラムモータとキャプスタンモータとローディングモータを駆動するためのワンチップ化されたICが、当該シャーシを挟んで当該キャプスタンモータに対向する位置に近接して配置され、当該ドラムモータを当該ICに接続するためのドラムモータケーブルを有し、当該ドラムモータケーブルはフラットケーブルであり、かつ当該筐体内壁に所定の長さ接触する部分を有する磁気テープ記録再生装置を提供するものである。
【考案の効果】
【０００９】
本考案により、ビデオ記録再生装置などの磁気テープ記録再生装置において、専用の追加的な部材をまったく必要とせず、しかも製造工程におけるシャーシへの部材取付け工程やケーブル配線工程において、なんら特殊かつ複雑な工程を一切必要とせずに、ドラムモータケーブルからオーディオヘッドケーブルに放射するノイズの影響を防止できる磁気テープ記録再生装置が提供される。
【考案を実施するための最良の形態】
【００１０】
以下、本考案の実施例を、図３のビデオ記録再生装置を具体例として説明する。
【００１１】
図３に示したビデオ記録再生装置は、金属性の筐体１、金属製のシャーシ２、および図示されていないが当該金属製のシャーシ２の裏面に設置されたメインプリント基板から構成されている。さらに、当該シャーシ２の表面には、ドラムモータ３、オーディオヘッド４、キャプスタンモータ５がそれぞれ図３に示すように所定の位置に配置されている。さらに当該シャーシ２の一方の側面には、ローディングモータ６が配置されている。また当該シャーシ２の裏面には、図示されていないが、キャプスタンモータ５と当該シャーシ２を挟んで対向する位置に近接した領域に、当該ドラムモータ３と当該キャプスタンモータ５と当該ローディングモータ６を駆動するためのワンチップ化された駆動ICが配置されている。さらに、当該ドラムモータ３を当該駆動ICに接続するためのドラムモータケーブル７、および当該オーディオヘッド４をメインプリント基板に接続するためのオーディオヘッドケーブル８が図示したように配線されている。
【００１２】
なお、当該ドラムモータケーブル７と当該オーディオヘッドケーブル８は、図示したようにシャーシ２の表面上部空間で互いに交差する形で、それぞれ当該シャーシ２裏面の当該駆動ICおよびメインプリント基板に接続されている。
【００１３】
当該ドラムモータケーブル７は、当該金属製の筐体１の所定の領域１０に少なくとも１ｃｍ以上の長さで接触している。ここで、当該金属製の筐体１の所定の領域１０は、上記の当該ドラムモータケーブル７と当該オーディオヘッドケーブル８がシャーシ２の表面上部空間で互いに交差するように接近し、当該ドラムモータケーブル７から放出されるノイズが当該オーディオヘッドケーブル８に影響を与える領域に設定することが肝要である。
【００１４】
なお上述のように、当該ドラムモータケーブル７は、金属製の筐体１の所定の領域１０に少なくとも１ｃｍ以上の長さで接触できるような所定の長さを必要とするが、その配線工程においては、当該ドラムモータケーブル７が一定の靭性を有するフラットケーブルであることから、所定の長ささえあればその靭性により簡単に当該金属性の筐体１の所定の領域１０に接触させることができ、しかも配線終了後の振動や落下などの物理的な衝撃に対しても当該金属製の筐体１から遊離することがない。さらに、当該ドラムモータケーブル７を当該金属製の筐体１の所定の領域１０に接触させるための特別の作業ないし治具は一切不要である。
【００１５】
以上の実施例で説明したとおり、当該ドラムモータケーブル７を当該金属製の筐体１に少なくとも１ｃｍ接触させることにより、専用の追加的な部材をまったく必要とせず、しかも製造工程におけるシャーシへの部材取付け工程やケーブル配線工程において、なんら特殊かつ複雑な工程を一切必要とせずに、ドラムモータケーブルからオーディオヘッドケーブルに放射するノイズの影響を防止できる磁気テープ記録再生装置が提供される。
【図面の簡単な説明】
【００１６】
【図１】ビデオ記録再生装置の概要を示す斜視図
【図２】従来技術の一つであるシールド板によるノイズ防止方法を示す斜視図
【図３】本考案による具体的な実施例を示す斜視図
【符号の説明】
【００１７】
１  金属製の筐体
２  シャーシ
３  ドラムモータ
４  オーディオヘッド
５  キャプスタンモータ
６  ローディングモータ
７  ドラムモータケーブル
８  オーディオヘッドケーブル
９  シールド板
１０  ドラムモータケーブルを筐体に接触させる領域
【図１】
0003103973.tif 000003
【図２】
0003103973.tif 000004
【図３】
0003103973.tif 000005